(57)【要約】【課題】部材の数の増加を抑え、スイッチの片側を接地可能とし、かつ認識するキーの組合せ数に比して分解能が低いＡ／Ｄコンバータを用いることができる電子機器を提供する。【解決手段】いずれのキー１０３に対しても押圧操作が行われていないときには、全てのグループ２００に対して出力イネーブル信号Ｓ１をオフに制御し、キー操作部１０５の任意のキー１０３に対して押圧操作が行われたときには、全てのグループ２００に対して出力イネーブル信号Ｓ１をオンに制御し、かつ、押圧操作が行われたキー１０３が属するグループの出力設定をＨｉｇｈに制御し、当該グループ以外のグループの出力設定をＬｏｗに制御するＣＰＵ１０６と、押圧操作が行われたキー１０３に直列接続されている第３の抵抗器１０４と、第２の抵抗器１０２とで分圧された電圧値を検出するＡ／Ｄコンバータ１０７と、所定のテーブルを有するＲＯＭ１０８を備える。【選択図】図３
2009032201.tif 000002
【特許請求の範囲】
【請求項１】
所定値の電源電圧が一方端側に接続されている第１の抵抗器、前記第１の抵抗器の他方端側に一方端側が直列に接続されている第２の抵抗器及び、前記第２の抵抗器の他方端側に接続されている複数のキーの組合せによるグループにより構成され、各キーの一方端側にはそれぞれ抵抗値が異なる第３の抵抗器が直列に接続されているキー操作部と、
前記第１の抵抗器と前記第２の抵抗器の間に接続され、前記キー操作部のいずれのキーに対しても押圧操作が行われていないときには、前記グループの全てに対して出力イネーブル信号をオフに制御し、前記キー操作部の任意のキーに対して押圧操作が行われたときには、前記第１の抵抗器に電圧降下が生じ、当該電圧降下に応じて割り込み信号が入力され、当該割り込み信号に応じて、前記グループの全てに対して出力イネーブル信号をオンに制御し、かつ、前記押圧操作が行われたキーが属するグループの出力設定をＨｉｇｈに制御し、当該グループ以外のグループの出力設定をＬｏｗに制御する制御部と、
前記押圧操作が行われたキーに直列接続されている前記第３の抵抗器と、前記第２の抵抗器とで分圧された電圧値を検出する電圧検出手段と、を備えることを特徴とする電子機器。
【請求項２】
前記複数のキーの他方端側は、接地されていることを特徴とする請求項１記載の電子機器。
【請求項３】
前記キー操作部は、前記電圧検出手段の入力側に接続される第４の抵抗器を備え、
前記第４の抵抗器の抵抗値は、前記第２の抵抗器の抵抗値よりも大きいことを特徴とする請求項１記載の電子機器。
【請求項４】
前記第１の抵抗器の抵抗値は、前記第２の抵抗器の抵抗値よりも大きいことを特徴とする請求項１記載の電子機器。
【請求項５】
前記キーは、ドームスイッチであることを特徴とする請求項１から４のいずれか１項に記載の電子機器。
【請求項６】
前記グループを構成するキーが接続される配線の少なくとも一部が、前記出力ポートが接続される配線と、前記電圧検出手段により電圧値が検出される配線とを兼ねることを特徴とする請求項１から５のいずれか１項に記載の電子機器。
【発明の詳細な説明】
【技術分野】
【０００１】
本発明は、キー操作部を有する電子機器に関する。
【背景技術】
【０００２】
電子機器は、複数個のキーが任意に配されている操作部を有しており、当該操作部のキーが使用者によって押圧操作されることにより、当該キーに割り当てられている情報が入力され、所定の動作を行う。
【０００３】
また、操作部においては、キースイッチ部の構成パーツとして、メタルドームシートを採用しているものがある。メタルドームシートは、クリック感触と電気的スイッチングの機能をメタルドームに持たせるもので、キー配列に応じてメタルドームを整列したシートを、ラバーと基板の間に組み入れた構造になっている。また、メタルドームには、空気孔（エアチャネル）が設けられている。これは、接点内部空間の空気を外に逃がすことにより、スイッチング動作において、抵抗の無い動作を実現するためである。
【０００４】
ここで、複数個直列に接続された抵抗と、各抵抗の端部において一端が接続されたスイッチとを有し、オンされたスイッチに応じたレベルの分圧を出力する分圧回路と、スイッチのオンに伴い分圧回路より出力される分圧のレベルに基づいて、オンされたスイッチを判断する判断手段とを有するスイッチ回路（以下、第１の従来構成という。）がある（特許文献１を参照。）。この第１の従来構成では、スイッチがオンされると、分圧回路よりそのオンされたスイッチに応じたレベルの分圧が出力される。判断手段は、分圧を入力すると、その分圧のレベルに基づいて、オンされたスイッチを判断する。このようにして、スイッチの総数にかかわらず、判断手段に対して接続される信号線は、分圧を出力するための１本の信号線だけで良いので、配線構造が簡単になる。
【０００５】
また、上述した第１の従来構成では、複数キーが同時に押圧操作されたときに対応が困難となる。そこで、複数のキーを同時に押圧操作したときに、抵抗で分圧することによって、いずれのキーが同時に押圧操作されたのかを判断するキースキャン装置（以下、第２の従来構成という。）がある（特許文献２を参照。）。
【０００６】
また、キー操作部のキーの数が多くなると、押圧操作されたキーを検出するためにＡ／Ｄコンバータの分解能を高くする必要がある。そこで、複数のキーをグループ化し、Ａ／Ｄコンバータの分解能を高くすることなく、多数のキー入力を判断するキー入力装置（以下、第３の従来構成という。）がある（特許文献３を参照。）。
【０００７】
また、第１の梯子抵抗回路網と第２の梯子抵抗回路網によりスイッチが構成され、スイッチが押圧操作された側の回路網を接地し、当該押圧操作されたスイッチに基づく電圧値を単一のＡ／Ｄコンバータに入力する構成により、Ａ／Ｄコンバータの分解能を越えたキー入力を可能とするキー入力装置（以下、第４の従来構成という。）がある（特許文献４を参照。）
【０００８】
さらに、スタンバイ状態において、キー入力があったときに、コンパレータでなく、入力ポートによる割り込みにより、マイコン（ＣＰＵ）を起動状態にする入力装置（以下、第５の従来構成という。）がある（特許文献５を参照。）。
【特許文献１】特開平０７−０３６５９５号公報
【特許文献２】特開２００３−２７１２９１号公報
【特許文献３】特開平１１−２４２５５２号公報
【特許文献４】特開平０５−０８８８０６号公報
【特許文献５】特開２００５−２６６８４３号公報
【発明の開示】
【発明が解決しようとする課題】
【０００９】
ところで、メタルドームに帯電した静電気が電子機器の内部に進入しないようにするために、メタルドーム側がＧＮＤに導通するように構成し、複数キーの同時押しを検出し、かつキーが押されたかどうかをＣＰＵへの割り込みによって検出する構成のキー検出回路が望まれている。
【００１０】
ここで、上述した第２の従来構成では、キーの数に応じて抵抗器が必要となり、電子機器が大型化し、コストアップを回避することができない。
【００１１】
また、上述した第３の従来構成及び第４の従来構成では、スイッチ素子を介してＧＮＤに接続される構成であるため、スイッチ素子が押圧操作されないときには、ドームスイッチに静電気が帯電したままになってしまう。
【００１２】
また、上述した第５の従来構成では、複数個直列に接続された抵抗が必要になり、一方端側にＡ／Ｄコンバータを接続し、他方端側に入力ポートが接続される構成であるため、Ａ／Ｄコンバータの接続線と、入力ポートの接続線とが必要となり、コストアップを避けることができない。
【００１３】
本発明は、上述のような課題に鑑みてなされたものであり、その目的の一つは、部材の数の増加を抑え、スイッチの片側を接地可能とし、かつ認識するキーの組合せ数に比して分解能が低いＡ／Ｄコンバータを用いることができる電子機器を提供することである。
【課題を解決するための手段】
【００１４】
本発明に係る電子機器は、上記課題を解決するために、所定値の電源電圧が一方端側に接続されている第１の抵抗器、前記第１の抵抗器の他方端側に一方端側が直列に接続されている第２の抵抗器及び、前記第２の抵抗器の他方端側に接続されている複数のキーの組合せによるグループにより構成され、各キーの一方端側にはそれぞれ抵抗値が異なる第３の抵抗器が直列に接続されているキー操作部と、前記第１の抵抗器と前記第２の抵抗器の間に接続され、前記キー操作部のいずれのキーに対しても押圧操作が行われていないときには、前記グループの全てに対して出力イネーブル信号をオフに制御し、前記キー操作部の任意のキーに対して押圧操作が行われたときには、前記第１の抵抗器に電圧降下が生じ、当該電圧降下に応じて割り込み信号が入力され、当該割り込み信号に応じて、前記グループの全てに対して出力イネーブル信号をオンに制御し、かつ、前記押圧操作が行われたキーが属するグループの出力設定をＨｉｇｈに制御し、当該グループ以外のグループの出力設定をＬｏｗに制御する制御部と、前記押圧操作が行われたキーに直列接続されている前記第３の抵抗器と、前記第２の抵抗器とで分圧された電圧値を検出する電圧検出手段と、を備えることを特徴とする。
【００１５】
また、上記電子機器では、前記複数のキーの他方端側は、接地されていることが好ましい。
【００１６】
また、上記電子機器では、前記キー操作部は、前記電圧検出手段の入力側に接続される第４の抵抗器を備え、前記第４の抵抗器の抵抗値は、前記第２の抵抗器の抵抗値よりも大きいことが好ましい。
【００１７】
また、上記電子機器では、前記第１の抵抗器の抵抗値は、前記第２の抵抗器の抵抗値よりも大きいことが好ましい。
【００１８】
また、上記電子機器では、前記キーは、ドームスイッチであることが好ましい。
【００１９】
また、上記電子機器では、前記グループを構成するキーが接続される配線の少なくとも一部が、前記出力ポートが接続される配線と、前記電圧検出手段により電圧値が検出される配線とを兼ねることが好ましい。
【発明の効果】
【００２０】
本発明によれば、部材の数の増加を抑え、スイッチの片側を接地可能とし、かつ認識するキーの組合せ数に比して分解能が低いＡ／Ｄコンバータを用いることができる。
【発明を実施するための最良の形態】
【００２１】
以下、本発明の実施の形態について説明する。
【００２２】
図１は、本発明に係る外部機器（基地局）と通信を行う電子機器の一例である携帯電話装置１の外観斜視図である。
【００２３】
図１に示すように、携帯電話装置１は、フロントケース２ａとリアケース２ｂとにより外面が形成される操作部側筐体部２と、フロントケース３ａとリアケース３ｂとにより外面が形成される表示部側筐体部３と、操作部側筐体部２と表示部側筐体部３とを連結するヒンジ機構４と、を備えて構成される。
【００２４】
操作部側筐体部２は、フロントケース２ａの表面側に露出するように配設される操作ボタン群１１と音声入力部１２とを有して構成される。操作ボタン群１１は、各種設定や電話帳機能やメール機能等の各種機能を作動させるための機能設定操作ボタン１３と、数字や文字が割り当てられ、電話番号入力時やメール作成時等における文字入力時に用いられる入力操作ボタン１４と、各種操作における決定やスクロール等を行う決定操作ボタン１５と、から構成されている。また、操作部側筐体部２の側面には、イヤホンコネクタキャップ１６と、外部機器（基地局）と通信を行うためのインターフェース（図示せず）を覆うキャップ１７とが設けられている。さらに、操作部側筐体部２の下端部には、充電用コネクタ（図示せず）を覆うキャップ１８ａと、一対の充電用接点部１８ｂとが設けられている。なお、音声入力部１２は、携帯電話装置１の使用者が通話時に発した音声を入力するために用いられる。
【００２５】
表示部側筐体部３は、各種情報を表示するためのディスプレイ２１と、通話の相手側の音声を出力する音声出力部２２とを有して構成される。また、表示部側筐体部３の上端部には、他の携帯電話装置等との間で赤外線通信を行うための通信部２３が設けられている。
【００２６】
ヒンジ機構４は、操作部側筐体部２と表示部側筐体部３とが相対的に動くようにこれらを連結しており、操作部側筐体部２と表示部側筐体部３とが互いに開いた使用状態（開放状態）と、操作部側筐体部２の表面と表示部側筐体部３の表面とが互いに向き合った格納状態（折畳み状態）とに切り換えることができるように構成されている。なお、本実施形態においては、通信機器の一例としてヒンジ機構４を介して操作部側筐体部２と表示部側筐体部３とが相対的に動く、いわゆる折り畳み式の携帯電話装置１を挙げているが、本発明は、折り畳み式ではなく、操作部側筐体部２と表示部側筐体部３とを重ね合わせた状態から一方の筐体を一方向にスライドさせるようにしたスライド式や、重ね合せ方向に沿う軸線を中心に一方の筐体を回転させるようにした回転式や、操作部側筐体部２と表示部側筐体部３とを２軸ヒンジを介して連結したもの、さらには、操作部側筐体部２と表示部側筐体部３とが一つの筐体に配置されたもの（いわゆる、ストレートタイプ）あっても適用可能である。
【００２７】
また、図２は、操作部側筐体部２に内蔵される部材の分解斜視図である。
【００２８】
図２に示すように、操作部側筐体部２は、フロントケース２ａと、上述した操作ボタン群１１を備えるキーシート４０と、フレキシブルプリント基板５０と、基準電位（ＧＮＤ）に接続された導電性のシールドケース６０と、基準電位が形成されている層及び携帯電話装置１用のＲＦ（Ｒａｄｉｏ  Ｆｒｅｑｕｅｎｃｙ）モジュール等の各種電子部品が実装された回路基板７０と、リアケース２ｂと、バッテリ８０と、バッテリリッド９０とが、積層的に配置されて構成される。なお、バッテリ８０は、リアケース２ｂに形成された開口２ｃの外側から着脱可能に操作部側筐体部２の内部に収納される。また、開口２ｃは、バッテリリッド９０により開閉可能に構成される。
【００２９】
シールドケース６０は、薄型の直方体における一の広い面が開口した形状を有する金属製の部材である。なお、シールドケース６０は、金属により形成する以外に、骨格を樹脂により形成し、その表面に導体膜を形成したものでも良い。
【００３０】
フレキシブルプリント基板５０は、フロントケース２ａ側の面に複数のキースイッチ５１、５２、５３を有し、シールドケース６０に載置される。フレキシブルプリント基板５０のキースイッチ５１、５２、５３は、椀状に湾曲して立体的に形成された金属板のメタルドームを有する構造になっている。メタルドームは、その椀状形状の頂点が押圧されると、フレキシブルプリント基板５０上の電気回路に形成されるスイッチ端子に接触して電気的に導通する。なお、キースイッチ５１、５２、５３により構成されるキー検出回路１００については、後述する。
【００３１】
キーシート４０は、シリコンゴム製等のシート（図示せず）の表面に操作ボタン群１１が接着剤により貼り付けられて構成される。キーシート４０における操作ボタン群１１を構成する機能設定操作ボタン１３、入力操作ボタン１４及び決定操作ボタン１５は、フレキシブルプリント基板５０におけるキースイッチ５１、５２、５３と対向する位置に配置されるとともに、フロントケース２ａに形成されるキー孔から表面側に露出するように配置される。
【００３２】
フロントケース２ａには、携帯電話装置１を折り畳んだ状態で表示部側筐体部３のディスプレイ２１と対向する内側面に、キー孔が複数形成される。複数のキー孔それぞれからは、キーシート４０上に形成される機能設定操作ボタン１３、入力操作ボタン１４及び決定操作ボタン１５の押圧面が露出する。この露出した操作ボタン群１１を構成する機能設定操作ボタン１３、入力操作ボタン１４及び決定操作ボタン１５の押圧面を押し下げるように押圧することで、対応するキースイッチ５１、５２、５３それぞれにおけるメタルドーム（椀状形状）の頂点が押圧され、スイッチ端子に接触して電気的に導通する。
【００３３】
また、フロントケース２ａとリアケース２ｂ及びフロントケース３ａとリアケース３ｂとは、操作部側筐体部２としての外周面が略一面となるように、開口周縁部同士が互いに重なり合うようにして結合される。なお、フロントケース２ａ及びリアケース２ｂには、フロントケース２ａとリアケース２ｂとが互いに結合し合ったときに開口部を形成する凹部２ｄ、２ｅがそれぞれ形成されている。また、この凹部２ｄ、２ｅで形成される開口部は、イヤホンコネクタキャップ１６によって開口状態と閉塞状態との間を切り換え可能に構成される。
【００３４】
回路基板７０には、ＩＣ（Ｉｎｔｅｇｒａｔｅｄ  ｃｉｒｃｕｉｔ  ：集積回路）等の各種電子部品が配置される。回路基板７０に配置される電子部品同士の所定の組合せにより複数の回路ブロックが形成される。例えば、無線回路、電源回路、デジタル回路等を含む各種回路ブロックが形成される。
【００３５】
また、回路基板７０上には、バッテリ８０から供給される電源電圧を所定の電源に変換し、変換後の電源電圧を負荷回路７１に供給する電源回路７２を備えている。ここで、負荷回路７１とは、無線回路等のように電力を消費する回路である。
【００３６】
ここで、キー検出回路１００の構成について説明する。
【００３７】
キー検出回路１００は、図３に示すように、所定値の電源電圧（Ｖｃｃ）が一方端側に接続されている第１の抵抗器１０１と、第１の抵抗器１０１の他方端側に一方端側が直列に接続されている第２の抵抗器１０２と、第２の抵抗器１０２の他方端側に接続された、複数のキー１０３の組合せによる各グループ２００（図３中では、グループ２００ａ、２００ｂ・・・と表記する）とによりが構成されたキー操作部１０５（図３中ではキー操作部１０５ａ、１０５ｂ・・・と表記する。）であって、各キーの一方端側にはそれぞれ抵抗値が異なる第３の抵抗器１０４が直列に接続されているキー操作部１０５と、第１の抵抗器１０１と第２の抵抗器１０２の間に接続され、キー操作部１０５のいずれのキー１０３に対しても押圧操作が行われていないときには、全てのグループ２００に対して出力イネーブル信号Ｓ１をオフに制御し、キー操作部１０５の任意のキー１０３に対して押圧操作が行われたときには、第１の抵抗器１０１に電圧降下が生じ、当該電圧降下に応じて割り込み信号Ｓ２が入力され、当該割り込み信号Ｓ２に応じて、全てのグループ２００に対して出力イネーブル信号Ｓ１をオンに制御し、かつ、押圧操作が行われたキー１０３が属するグループ（例えば、グループ２００ａ）の出力設定をＨｉｇｈに制御し、当該グループ（例えば、グループ２００ａ）以外のグループ（例えば、グループ２００ｂ・・・）の出力設定をＬｏｗに制御するＣＰＵ１０６（制御部）と、押圧操作が行われたキー１０３に直列接続されている第３の抵抗器１０４と、第２の抵抗器１０２とで分圧された電圧値を検出するＡ／Ｄコンバータ１０７（電圧検出手段）と、所定のテーブルを有するＲＯＭ１０８を備える。
【００３８】
また、キー検出回路１００は、いずれかのキー１０３が押圧操作されることにより、割り込み信号Ｓ２が入力される入力ポート１０９と、ＣＰＵ１０６の制御に応じて、出力イネーブル信号Ｓ１が入力され、また、「Ｈｉｇｈ」の状態と「Ｌｏｗ」の状態とが切り換えられる出力ポート１１０とを備えている。
【００３９】
また、出力ポート１１０の出力設定が「Ｈｉｇｈ」の場合、すなわち、ＣＰＵ１０６から一定値以上の電圧が印加されている場合には、第２の抵抗器１０２の抵抗値Ｒａがプルアップ抵抗となり、また、出力ポート１１０の出力設定が「Ｌｏｗ」の場合、すなわち、ＣＰＵ１０６から一定値以下の電圧が印加されている場合には、第１の抵抗器１０１の抵抗値Ｒｂと第２の抵抗器１０２の抵抗値Ｒａとの合成抵抗（Ｒａ＋Ｒｂ）がプルアップ抵抗となる。なお、例えば、第２の抵抗器１０２の抵抗値Ｒａは、５００Ωであり、また、第１の抵抗器１０１の抵抗値Ｒｂは、５０ｋΩであり、「Ｒｂ＞＞Ｒａ」の関係になっている。このように、本発明では、Ｒｂ＞Ｒａの関係となり、好ましくは、Ｒｂ＞＞Ｒａの関係である。このような、ＲａとＲｂとの関係によれば、後述する図４及び図５に示される電圧変化の関係を得られる。
【００４０】
また、本実施例においては、各グループ２００に属するキー１０３は、図３に示すように、４つのキー１０３ａ、１０３ｂ、１０３ｃ、１０３ｄから構成されているものとする。また、４つのキーから構成されている場合には、各キー１０３が単独で押圧操作される場合と、複数のキー１０３が同時に押圧操作される場合が考えられ、１５通りの押圧操作が可能となる。なお、各グループ２００のキー１０３の構成数は４つに限られず、それ以上で構成されても良いし、それ以下で構成されても良い。
【００４１】
また、キー１０３ａには、直列に第３の抵抗器１０４ａが接続され、キー１０３ｂには、直列に第３の抵抗器１０４ｂが接続され、キー１０３ｃには、直列に第３の抵抗器１０４ｃが接続され、キー１０３ｄには、直列に第３の抵抗器１０４ｄが接続されているものとする。また、各キー１０３が押圧されたときに、押圧されたキー１０３により異なる分圧電圧をＡ／Ｄコンバータ１０７で得られるように、第３の抵抗器１０４ａの抵抗値Ｒ１を基準として、例えば、第３の抵抗器１０４ｂの抵抗値Ｒ２は、２×Ｒ１とし、第３の抵抗器１０４ｃの抵抗値Ｒ３は、４×Ｒ１とし、第３の抵抗器１０４ｄの抵抗値Ｒ４は、８×Ｒ１とする。なお、各抵抗値は例示であって、これに限られない。
【００４２】
また、Ａ／Ｄコンバータ１０７の入力側には、図３に示すように、第４の抵抗器１１１が接続されている。ここで、第４の抵抗器１１１の抵抗値Ｒｃは、第２の抵抗器１０２の抵抗値Ｒａよりも大きいことが好ましい（Ｒｃ＞Ｒａ）。このような構成によれば、各グループをＡ／Ｄコンバータ１０７に接続するために、第４の抵抗器１１１で電圧の和をとりつつ、Ａ／Ｄコンバータ１０７と同一ライン上に配されている出力ポート１１０が、「Ｈｉｇｈ」の状態に制御されたグループ（例えば、グループ２００ａ）を有効とし、また、「Ｌｏｗ」の状態に制御されたグループ（例えば、グループ２００ｂ・・・）を無効にすることができる。なお、Ａ／Ｄコンバータ１０７の入力側は、第４の抵抗器１１１ではなく、ダイオードやアナログスイッチ等により構成されても良い。
【００４３】
なお、上記記載において、第４の抵抗器１１１で電圧の和をとるとは、出力ポート１１０が「Ｌｏｗ」の状態に制御されたグループ（例えば、グループ２００ｂ・・・）の第４の抵抗器１１１に印加される電圧がゼロに近いため、出力ポート１１０が「Ｈｉｇｈ」の状態に制御されたグループ（例えば、グループ２００ｂ・・・）の第４の抵抗器１１１で分圧された電圧と加算されてＡ／Ｄコンバータ１０７に対して入力されることをいう。
【００４４】
また、上述したように、各グループ２００において、各キー１０３に接続されている第３の抵抗器１０４の抵抗値がそれぞれ異なっており、また、Ａ／Ｄコンバータ１０７の接続線と入力ポート１０９への割り込み検出線とが共通に構成されているので、任意のキー１０３が一つ又は複数個同時に押圧操作された場合において、キー１０３が押圧操作されてＣＰＵ１０６に割り込み信号が入力される際のプルアップ抵抗の抵抗値（第１の抵抗器１０１と第２の抵抗器１０２の合成抵抗）と、押圧操作されたキー１０３に対応する電圧がＡ／Ｄコンバータ１０７に入力される際のプルアップ抵抗の抵抗値（第２の抵抗器１０２の抵抗値）を簡易な構成により変化させることができる。
【００４５】
ここで、キー検出回路１００の動作について説明する。
【００４６】
キー検出回路１００は、キー１０３が押圧操作されていない状態では、ＣＰＵ１０６から出力ポート１１０に出力イネーブル信号Ｓ１が入力されない。したがって、出力ポート１１０は、「Ｈｉｇｈ」の状態でも「Ｌｏｗ」の状態でもないフローティング状態になっている。なお、この状態におけるプルアップ抵抗の抵抗値は、第１の抵抗器１０１と第２の抵抗器１０２との合成抵抗となる（Ｒａ＋Ｒｂ）。
【００４７】
つぎに、キー検出回路１００は、任意のキー１０３が一つ又は複数個同時に押圧操作されたときには、ＣＰＵ１０６に割り込み信号Ｓ２が入力される。
【００４８】
ここで、割り込み検出について説明する。なお、入力ポート１０９は、例えば、電源電圧が２．６Ｖである場合、その半分の１．３Ｖを閾値として設定しておく。
【００４９】
任意のキー１０３が一つ又は複数個同時に押圧操作されると、第１の抵抗器１０１に電圧降下が生じ、入力ポート１０９に供給される電圧が低下する（図４を参照。）。なお、図４は、プルアップ抵抗が第１の抵抗器１０１と第２の抵抗器１０２の合成抵抗（Ｒａ＋Ｒｂ）である場合の、一のグループにおける４つのキー（キー１０３ａ、１０３ｂ、１０３ｃ、１０３ｄ）が押圧操作（１５通り）されたときの出力電圧を示している。
【００５０】
また、入力ポート１０９は、第１の抵抗器１０１の電圧降下に伴って、設定した閾値よりも低い電圧が供給されたとき、割り込み信号Ｓ２生成し、ＣＰＵ１０６に供給する。また、このときのプルアップ抵抗は、第１の抵抗器１０１の抵抗値Ｒｂと第２の抵抗器１０２の抵抗値Ｒａの合成抵抗（Ｒａ＋Ｒｂ）になっている。
【００５１】
また、この割り込み検出においては、どのグループのキー１０３が押圧操作されたかを検出できれば良く、グループ内のどのキーが押圧操作されたのかは検出しない。
【００５２】
つぎに、ＣＰＵ１０６は、割り込み信号Ｓ２の入力に応じて、接続されている全てのグループ２００の出力ポート１１０に対して出力イネーブル信号Ｓ１を入力し、押圧操作が行われたキー１０３が属するグループ（例えば、グループ２００ａ）の出力ポート１１０の出力設定を「Ｈｉｇｈ」に制御し、また、当該グループ（例えば、グループ２００ａ）以外のグループ（例えば、グループ２００ｂ・・・）の出力ポート１１０の出力設定を「Ｌｏｗ」に制御する。
【００５３】
なお、上述したように、出力ポート１１０の出力設定が「Ｈｉｇｈ」の場合には、第２の抵抗器１０２の抵抗値Ｒａがプルアップ抵抗となり、また、出力ポート１１０の出力設定が「Ｌｏｗ」の場合には、第２の抵抗器１０２の抵抗値Ｒａがプルダウン抵抗となる。
【００５４】
したがって、Ａ／Ｄコンバータ１０７は、出力ポート１１０の出力設定が「Ｈｉｇｈ」になっているグループ（例えば、グループ２００ａ）から供給される電圧のみが入力される（図５を参照。）。なお、図５は、プルアップ抵抗が第２の抵抗器１０２の抵抗値Ｒａである場合の、一のグループにおける４つのキー（キー１０３ａ、１０３ｂ、１０３ｃ、１０３ｄ）が押圧操作（１５通り）されたときの出力電圧を示している。
【００５５】
また、図５に示すように、割り込み検出時（図４を参照。）に比して、キー１０３の押圧操作に対応する出力電圧がリニアに変化しているので、高精度な分解能を有していないＡ／Ｄコンバータ１０７であっても、入力されたアナログ信号に基づいて、キー１０３の押圧操作に対応したデジタル信号に変換することができる。また、Ａ／Ｄコンバータ１０７は、変換したデジタル信号をＣＰＵ１０６に供給する。
【００５６】
ＣＰＵ１０６は、ＲＯＭ１０８に格納されているテーブルを参照し、Ａ／Ｄコンバータ１０７から供給されたデジタル信号に基づいて、どのキー１０３が押圧操作されてかを判断する。なお、ＲＯＭ１０８に格納されているテーブルには、Ａ／Ｄコンバータ１０７から供給されるデジタル信号に対応するキー１０３の組合せが記されている。
【００５７】
ここで、割り込み検出時の電圧値の設定、及びＡ／Ｄコンバータ１０７による電圧の読み込み時の電圧値の設定について説明する。
【００５８】
例えば、グループ２００ａのキー１０３ａが押圧操作されたときの電圧をＶ１とし、第３の抵抗器１０４ａ、１０４ｂ、１０４ｃ、１０４ｄの合成抵抗をＲｘとすると、Ｖ１は、（１）式により求めることができる。
Ｖ１＝Ｖｃｃ／（１＋Ｒ／Ｒｘ）・・・（１）
なお、Ｒは、プルアップ抵抗である。
【００５９】
ここで、図６には、グループ２００ａにおける４つのキー（キー１０３ａ、１０３ｂ、１０３ｃ、１０３ｄ）が押圧操作（１５通り）されたときのＲｘの変化の様子を示し、図７には、Ｒｘの値を一定とし、Ｒの値を変化させたときのＶ１の変化の様子を示す。
【００６０】
図７に示すように、Ｒを変化させることにより、Ｖ１の出力電圧を閾値電圧（１．３Ｖ）よりも低い電圧値に設定（以下、「第１の設定Ａ」という。）にすることができ、また、Ｖ１をリニアに近い状態に設定（以下、「第２の設定Ｂ」という。）することができる。
【００６１】
本実施例では、割り込み検出時において、出力ポート１１０をフローティング状態にし、プルアップ抵抗を第１の抵抗器１０１と第２の抵抗器１０２との合成抵抗（Ｒａ＋Ｒｂ）に制御することにより「第１の設定Ａ」にする。なお、Ｒ（プルアップ抵抗）は、Ｒａ＋Ｒｂとなる。
【００６２】
また、本実施例では、Ａ／Ｄコンバータ１０７による電圧の読み込み時において、出力ポート１１０に出力イネーブル信号Ｓ１を供給し、かつ、出力設定を「Ｈｉｇｈ」にし、プルアップ抵抗を第２の抵抗器１０２の抵抗値（Ｒａ）に制御することにより「第２の設定Ｂ」にする。なお、Ｒ（プルアップ抵抗）は、Ｒａとなる。
【００６３】
このようにして、本発明では、Ａ／Ｄコンバータ１０７と入力ポート１０９とを同一の接続線で結線し、キー１０３の押圧操作に応じて行われる割り込み検出時のプルアップ抵抗（本実施例では、第１の抵抗器１０１と第２の抵抗器１０２の合成抵抗）と、Ａ／Ｄコンバータによりデジタル変換する際のプルアップ抵抗（本実施例では、第２の抵抗器１０２の抵抗値Ｒａ）とを簡易な構成により変更するので、従来の構成に比して、抵抗器や配線等の部材の数の増加を抑え、認識するキー１０３の組合せ数に比して分解能が低いＡ／Ｄコンバータ１０７を用いることができる。
【００６４】
また、各キー１０３の他方端側は、接地（ＧＮＤ）されていることが好ましい。このような構成によれば、キー１０３が押圧操作されないときであっても、ドームスイッチに帯電した静電気をフレキシブルプリント基板５０の基準電位に流すことができ、フレキシブルプリント基板５０上に配されている電子部品に影響を与えることがない。
【００６５】
また、本実施例では、グループ２００ごとに出力ポート１１０を備える構成であるとして説明したが、これに限られず、一つの出力ポート１１０を全てのグループにより兼用する構成であっても良い。
【００６６】
また、本実施形態では、携帯電話装置１について説明したが、本発明は携帯電話装置に限定されることなく、ＰＤＡ（ｐｅｒｓｏｎａｌ  ｄｉｇｉｔａｌ  ａｓｓｉｓｔａｎｔｓ）、ＰＨＳ（ｐｅｒｓｏｎａｌ  ｈａｎｄｙ−ｐｈｏｎｅ  ｓｙｓｔｅｍ）、ノートパソコンその他の電子機器に適用することが可能である。
【図面の簡単な説明】
【００６７】
【図１】本発明に係る携帯電話装置の外観を示す斜視図である。
【図２】本発明の一実施の形態に係る通信装置としての操作部側筐体部に内蔵される構成部材の分解斜視図である。
【図３】本発明に係るキー検出回路の構成図である。
【図４】割り込み検出時における、キーの押圧操作に対応する電圧の変化を示す図である。
【図５】Ａ／Ｄコンバータによる読み込み時における、キーの押圧操作に対応する電圧の変化を示す図である。
【図６】一のグループにおける各キーが押圧操作されたときのＲｘの変化の様子を示す図である。
【図７】第３の抵抗器の並列合成抵抗値Ｒｘの値を一定とし、プルアップ抵抗Ｒの値を変化させたときの電圧の変化の様子を示す図である。
【符号の説明】
【００６８】
１  携帯電話機
２  操作部側筐体部
３  表示部側筐体部
１００  キー検出回路
１０１  第１の抵抗器
１０２  第２の抵抗器
１０３ａ、１０３ｂ、１０３ｃ、１０３ｄ  キー
１０４  第３の抵抗器
１０５ａ、１０５ｂ  キー操作部
１０６  ＣＰＵ
１０７  Ａ／Ｄコンバータ
１０８  ＲＯＭ
１０９  入力ポート
１１０  出力ポート
１１１  第４の抵抗器
２００ａ、２００ｂ  グループ
【図１】
2009032201.tif 000003
【図２】
2009032201.tif 000004
【図３】
2009032201.tif 000005
【図４】
2009032201.tif 000006
【図５】
2009032201.tif 000007
【図６】
2009032201.tif 000008
【図７】
2009032201.tif 000009